(57)【要約】  プロテクトが施されたフレームベース著作物のコピーをセキュアに制御する方法およびシステムが開示される。本方法は、プロテクトが施されたフレームベース著作物のシリアルコピーマネジメントシステム情報にアクセスするステップを含む。さらに、本方法は、シリアルコピーマネジメントシステム情報を検証するステップを含む。プロテクトが施されたフレームベース著作物のコピー管理情報にアクセスするステップも含む。その際、このコピー管理情報は、セキュアなコピー／再生アプリケーションがプロテクトが施されたフレームベース著作物のコピーを作成することについて認証されるかどうかを判定するために利用される。よって、コピー管理情報は、著作物にアクセスするために、著作権者が認証した情報の適用を要求することによって、「著作物へのアクセスを効果的に制御する」技術的手段として働く。【選択図】図１
2012528401.tif 000002
【特許請求の範囲】
【請求項１】
プロテクトが施されたフレームベース著作物のコピーをセキュアに制御する方法であって、
前記プロテクトが施されたフレームベース著作物のシリアルコピーマネジメントシステム情報にアクセスするステップと、
前記シリアルコピーマネジメントシステム情報を検証するステップと、
前記プロテクトが施されたフレームベース著作物のコピー管理情報にアクセスするステップと、
セキュアなコピー／再生アプリケーションが前記プロテクトが施されたフレームベース著作物のコピーを作成することについて認証されるかどうかを判定するために、前記コピー管理情報を利用するステップと、を含む方法。
【請求項２】
前記プロテクトが施されたフレームベース著作物の再生管理情報にアクセスするステップをさらに含む、請求項１に記載の方法。
【請求項３】
ＭＰ３ファイルの少なくとも２つのアプリケーションプライベートビットから前記シリアルコピーマネジメントシステム情報および前記再生管理情報にアクセスするステップをさらに含む、請求項２に記載の方法。
【請求項４】
前記シリアルコピーマネジメントシステム情報の前記検証が失敗した場合、前記プロテクトが施されたフレームベース著作物のコピーを許可しないステップをさらに含む、請求項１に記載の方法。
【請求項５】
前記コピー管理情報には、前記プロテクトが施されたフレームベース著作物のコピーを許可しないことが含まれる、請求項１に記載の方法。
【請求項６】
前記コピー管理情報には、前記プロテクトが施されたフレームベース著作物のコピーを、回数を制限して許可することが含まれる、請求項１に記載の方法。
【請求項７】
前記再生管理情報には、前記プロテクトが施されたフレームベース著作物の再生を、回数を制限して許可することが含まれる、請求項２に記載の方法。
【請求項８】
前記コピー管理情報には、前記プロテクトが施されたフレームベース著作物のコピーを、回数の制限なく許可することが含まれる、請求項１に記載の方法。
【請求項９】
前記再生管理情報には、前記プロテクトが施されたフレームベース著作物の再生を、回数の制限なく許可することが含まれる、請求項２に記載の方法。
【請求項１０】
コンピュータで実行可能な命令群が格納されたコンピュータ読み取り可能媒体であって、前記命令は、コンプライアンスメカニズムに対して、プロテクトが施されたフレームベース著作物のコピー・再生をセキュアに制御する方法を行わせ、当該方法は、
前記プロテクトが施されたフレームベース著作物のシリアルコピーマネジメントシステム情報にアクセスするステップと、
前記シリアルコピーマネジメントシステム情報を検証するステップと、
前記プロテクトが施されたフレームベース著作物のコピー・再生管理情報にアクセスするステップと、
セキュアなコピー／再生アプリケーションが前記プロテクトが施されたフレームベース著作物のコピーを作成することについて認証されるかどうかを判定するために、前記コピー管理情報を利用するステップと、を含むコンピュータ読み取り可能媒体。
【請求項１１】
ＭＰ３ファイル内の少なくとも２つのアプリケーションプライベートビットから、前記シリアルコピーマネジメントシステム情報および前記コピー・再生管理情報にアクセスするステップをさらに含む、請求項１０に記載のコンピュータ読み取り可能媒体。
【請求項１２】
前記シリアルコピーマネジメントシステム情報の前記検証に失敗した場合、前記プロテクトが施されたフレームベース著作物のコピーを許可しないステップをさらに含む、請求項１０に記載のコンピュータ読み取り可能媒体。
【請求項１３】
前記コピー・再生管理情報には、前記プロテクトが施されたフレームベース著作物のコピーを許可しないことが含まれる、請求項１０に記載のコンピュータ読み取り可能媒体。
【請求項１４】
前記コピー・再生管理情報には、前記プロテクトが施されたフレームベース著作物のコピーを、回数を制限して許可することが含まれる、請求項１０に記載のコンピュータ読み取り可能媒体。
【請求項１５】
前記コピー・再生管理情報には、前記プロテクトが施されたフレームベース著作物の再生を、回数を制限して許可することが含まれる、請求項１０に記載のコンピュータ読み取り可能媒体。
【請求項１６】
前記コピー・再生管理情報には、前記プロテクトが施されたフレームベース著作物のコピーおよび再生を、回数の制限なく許可することが含まれる、請求項１０に記載のコンピュータ読み取り可能媒体。
【請求項１７】
プロテクトが施されたフレームベース著作物のコピー・再生をセキュアに制御するためのシステムであって、
プロテクトが施されたフレームベース著作物のコピー・再生をコンピュータシステムにセキュアに制御させる際の命令群が格納されたコンピュータ記憶媒体を備えてなり、
前記命令群は、
前記プロテクトが施されたフレームベース著作物の、（ｎ）回コピーおよび（ｎ）回再生の管理情報が関連付けられたソースファイルを受信するソースファイル受信部と、
前記プロテクトが施されたフレームベース著作物の前記ソースファイルに基づいて、（０）回コピーおよび（ｎ）回再生の管理情報が関連付けられた目的ファイルを生成する目的ファイル生成部と、
前記プロテクトが施されたフレームベース著作物の前記ソースファイルに基づいて、（ｎ−１）回コピーおよび（ｎ）回再生の管理情報が関連付けられた修正ソースファイルを生成する修正ソースファイル生成部と、
前記プロテクトが施されたフレームベース著作物の前記ソースファイルに基づいて、前記目的ファイルおよび前記修正ソースファイルを検証する検証部と、
を有するシステム。
【請求項１８】
前記プロテクトが施されたフレームベース著作物の前記ソースファイルに基づき、（ｎ）回コピーおよび（ｎ）回再生の管理情報が関連付けられたターゲットファイルを生成するターゲットファイル生成部をさらに有し、
前記目的ファイル生成部および前記修正ソースファイル生成部は、前記プロテクトが施されたフレームベース著作物の前記ソースファイルの代わりに、前記ターゲットファイルを利用する、請求項１７に記載のシステム。
【請求項１９】
前記検証が失敗した場合、前記検証部は、前記プロテクトが施されたフレームベース著作物の前記ターゲットファイル、前記目的ファイル、および、前記修正ソースファイルを削除し、前記プロテクトが施されたフレームベース著作物の前記ソースファイルを保持する、請求項１８に記載のシステム。
【請求項２０】
前記検証が成功した場合、前記検証部は、前記プロテクトが施されたフレームベース著作物の前記ターゲットファイルおよび前記ソースファイルを削除し、前記プロテクトが施されたフレームベース著作物の前記目的ファイルおよび前記修正ソースファイルを保持する、請求項１８に記載のシステム。
【発明の詳細な説明】
【技術分野】
【０００１】
本技術の実施形態は、概して、メディア使用のコピーおよび／または再生プロテクトの分野に関する。より詳細には、本技術は、一実施形態として、プロテクトが施されたフレームベース著作物のセキュアなメディアコピーおよび／または再生を有する。
【背景技術】
【０００２】
これまでは、特定の曲や映画が欲しい場合、ユーザは、店に行き、レコード、テープ、ＣＤ、ビデオなどを購入する必要があった。しかしながら、デジタル化されたオーディオまたはビデオメディアは、メディアの流通市場を大幅に変えた。現在、ユーザが特定の曲や映画を欲しい場合、メディアをインターネットから購入してダウンロードすることができる。例えば、エンドユーザは、多数のメディア配信サイトのいずれにもアクセスすることができ、好きなメディアを購入し、ダウンロードすることができ、そして、それを繰り返し視聴することが可能である。
【０００３】
多くの場合、購入され、ダウンロードされたメディアは、いくつかのタイプのプロテクトを含むだろう。プロテクトは、著作権保護などであるがこれに限定されず、コピー、譲渡、または、再生の制限であり得る。一般的に、プロテクトは、使用制限されたメディアの所有者がメディアの頒布を制御することを許容している。例えば、ダウンロードされたメディアが著作権保護されている場合、著作権使用料は、保護されたメディアをコピーし、送信し、または、その後ダウンロードしようとするすべての人によって要求され得る。別の例において、ダウンロードされたメディアのプロテクトは、配信制御であり得る。つまり、「コピーできない」ポリシーまたは「少数のコピーを作成できる」ポリシーがあり得る。現在、プロテクトに関する規則は、米国著作権法において確認することができる。
【０００４】
よって、プロテクトが施されたメディアの著作権者は、当該プロテクトが施されたメディアの使用に対して正規の著作権使用料を受け取るという経済的な関心を持っている。この関心は、使用制限されたメディアが違法にコピーまたは配信されるのを防ぐことを含んでいる。著作権法のもとで、著作権者は、使用制限物を技術的手段によって保護することをメディア配信者に要求する法的地位を有している。
【発明の概要】
【０００５】
プロテクトが施されたフレームベース著作物のコピーをセキュアに制御する方法およびシステムが開示される。本方法は、プロテクトが施されたフレームベース著作物のシリアルコピーマネジメントシステム情報にアクセスするステップを含む。さらに、本方法は、シリアルコピーマネジメントシステム情報を検証するステップを含む。プロテクトが施されたフレームベース著作物のコピー管理情報にアクセスするステップも含む。その際、このコピー管理情報は、セキュアなコピー／再生アプリケーションが、プロテクトが施されたフレームベース著作物のコピーを作成することについて認証されるかどうかを判定するために利用される。よって、コピー管理情報は、著作物にアクセスするために、著作権者が認証した情報の適用を要求することによって、「著作物へのアクセスを効果的に制御する」技術的手段として働く。
【図面の簡単な説明】
【０００６】
【図１】本発明の一実施形態に従う、著作権収益獲得を強化するシステムのブロック図である。
【図２】本発明の一実施形態に従う、著作権収益獲得を強化する方法のフローチャートのブロック図である。
【図３】本発明の一実施形態に従う、著作権収益獲得を強化する方法のフローチャートのブロック図である。
【図４】本発明の一実施形態に従う、著作権収益獲得を強化する方法のフローチャートのブロック図である。
【図５】本発明の一実施形態に従う、プロテクトが施されたフレームベース著作物のセキュアなメディアコピーが許可されるかどうかを判定する方法のフローチャートのブロック図である。
【図６】本発明の一実施形態に従う、プロテクトが施されたフレームベース著作物のセキュアなメディアコピー方法のフローチャートのブロック図である。
【図７】本発明の一実施形態に従う、例示的なコンピュータシステムのブロック図である。
【０００７】
特に言及されている場合を除き、本明細書において参照される図面は、共通の尺度で描かれていないものと理解されたい。
【発明を実施するための形態】
【０００８】
添付の図面に示された、本技術の実施形態について詳細に説明する。本技術は、様々な実施形態に関連して説明されるが、これらの実施形態は、本技術をこれらの実施形態に限定することを意図するものではないことを理解されたい。むしろ、本技術は、添付の特許請求の範囲に記載された様々な実施形態の趣旨および範囲内に含まれ得る、代替、変更、均等物をカバーするように意図されている。
【０００９】
さらに、以下の実施形態の説明において、本技術の全体的な理解をもたらすべく、様々な具体的な詳細が説明されている。しかしながら、本技術はこれらの具体的な詳細なしでも実施が可能である。他の例において、不必要に本実施形態の態様をあいまいにしないように、周知の方法、手順、構成要素、回路は、詳細に説明しない。
【００１０】
[概要]
米国著作権法第１０６条および第１１４条のもとで、録音物の著作権の持ち主は、当該録音物についての占有権を有する。例えば、著作権者は、録音物に固定されている実際の音を直接または間接に再録する特定の形式に録音物を増製する権利に限定される。また、著作権者は、録音物に固定されている実際の音を再整理し、再調整しまたは順序もしくは音質を変更した二次的著作物を作成する権利に限定される。
【００１１】
しかしながら、録音物の権利には一定の制限が存在する。特に、録音物の著作権者の占有権は、他の録音物が著作権のある録音物の音を模倣しまたはそれに類似する音を含んでいたとしても、それら全体が他の音を独自に固定したものである場合はそれらを作成しまたは増製することには及ばない。言い換えれば、著作権法では、著作権のある模倣または類似された音が独自に生成されている限り、著作権を有する録音物の模倣または類似品を作成することが許されている。
【００１２】
著作権法はまた、著作物の使用に際して著作権者に複数の著作権使用料を支払うことを要求しており、例えば、演奏著作権使用料や出版著作権使用料などが存在するが、これに限定されない。著作権使用料は、米国著作権使用料委員会によって設定されている。著作権を行使し、著作権使用料を徴収するためには、著作権者は、米国著作権局に登録された正当な著作権を保有しなければならない。著作権のある著作物を保護し、著作権使用料の支払いを確実にする方法としては、米国著作権法第１２０１条に記載されているように、著作権のある著作物へのアクセスを有効に制御する技術的方策の使用がある。
【００１３】
著作権のある著作物の著作権者は、著作権侵害の請求ができる法的地位を有するべきである。米国著作権法のもとで、頒布は、著作権侵害を主張する重要な要素となっている。例えば、著作権を保護するための技術的な措置が施された（例えば、ＳＣＭＳ）著作権のある著作物が頒布された場合、その後当該著作権のある著作物を受信して具現する任意の装置または機器も適切な技術的手段を有することが必要であり（例えば、ＳＣＭＳ）、これにより、著作権法第１２０１条、第１２０２条、および第１００１条に記載されているように、効果的に著作権のある著作物へのアクセスを制御し、コピーコントロールの完全性を維持し、また、著作物のコピー管理情報それ自体を維持することができる。よって、コピー管理情報は、著作物にアクセスするために、著作権者が認証した情報の適用を要求することによって、「著作物へのアクセスを有効に制御する」技術的手段として働く。
【００１４】
メディア、例えばこれに限定しないが録音物などの膨大なデータベース、を提供するメディアウェブブロードキャスタなどのメディアプロバイダは、膨大な量の著作権のあるメディアを送信でき、膨大な額の使用料の支払いを要求され得る。本発明に係る実施形態では、図１に示されるような、著作権収益獲得を強化するシステム１００を提供する。システム１００は、システム１０５と、装置１４０と、著作権使用料支払制御部１８０とを含む。システム１０５は、フレームベースメディアデータベース１１０と、著作権・再生管理情報埋込部１２０と、一意識別子埋込部１２５と、エンコーダ１３０とを含む。
【００１５】
システム１０５は、支払われるべき著作権使用料の適切な支払いを確実にすることによって、著作権収益獲得を強化する。一実施形態において、システム１０５は、インターネットを介してマルチメディアを放送するウェブブロードキャスタである。マルチメディアは、フレームベースメディアデータベース１１０に格納された、任意のフレームベースメディア１０７であることを理解されたい。一実施形態において、フレームベースメディア１０７は、ＭＰ３（ＭＰＥＧ−１  Ａｕｄｉｏ  Ｌａｙｅｒ  ３）ファイルである。
【００１６】
一実施形態において、システム１０５は、著作権・再生管理情報埋込部１２０を通じて、著作権のあるフレームベースメディア１０７に技術的手段を導入することによって、著作権のある著作物に支払われるべき著作権使用料の適正な支払いを確実なものにする。他の実施形態において、システム１０５は、一意識別子埋込部１２５を通じて、著作権のあるフレームベースメディア１０７に技術的手段を導入することによって、著作権のある著作物に支払われるべき著作権使用料の適正な支払いを確実なものにする。技術的な手段は、当該手段が、操作の通常過程において、著作権のある著作物にアクセスするため、著作権者が認証した情報、プロセス、あるいは処理の適用を要求する場合、著作権のある著作物へのアクセスを有効に制御することを理解されたい。技術的な手段の１つの目的は、偽の著作物を防ぐのに役立つことである。
【００１７】
著作権・再生管理情報は、ＳＣＭＳなどであってよいが、これに限定されないことを理解されたい。ＳＣＭＳは、データが繰り返しコピーされることを防ぐことにより、デジタル製品の著作権を保護するためのスキームである。ＳＣＭＳは、ＭＰ３ファイルなどのデジタルデータのコピーを作成する機能を有するオーディオ機器に内蔵される。ＳＣＭＳが組み込まれたオーディオ機器は、ユーザにより記録された第一世代のコピーが再度コピーされることを防ぐことができる。言い換えると、ＳＣＭＳは、第二世代以上の世代のコピーが作成されることを防ぐ。
【００１８】
著作権・再生管理情報埋込部１２０は、著作権・再生管理情報を、フレームベースメディア１０７内に埋め込む。著作権・再生管理情報は、著作権のある著作物に付随する著作権保護の管理および／または行使に関する任意の情報であることを理解されたい。様々な実施形態において、著作権・再生管理情報は、フレームベースメディアの許可されたコピー回数、フレームベースメディアのバージョン番号、または、コピーが許可されないこと、以降のコピーに関するルールなどであるがこれらに限定されず、また、フレームベースメディアの許可された再生回数およびメディアの再生を許可された装置のタイプなどでもよい。
【００１９】
様々な実施形態において、著作権管理情報は、著作権のある著作物がどの機械、製品、および／または会社からのものかを示す。さらに、著作権管理情報は、どの機械、製品、および／または会社の著作権のある著作物が再生を許可されるかを示す。
【００２０】
著作権管理情報は、追跡情報などの科学捜査に関連する情報があるが、これに限定されないことを理解されたい。例えば、著作権のある著作物のデモは、人物Ａに関連している。著作権のある著作物は、人物Ａに関連する、埋め込まれた固有の番号を有する。
デモの内容がどこか他の場所で発見された場合（例えば、人物Ａとともにではなく）、デモの内容によってそのソースまでさかのぼることができる。
【００２１】
さらに、著作権管理情報は、当該著作権のある著作物に関連した失効日である。例えば、著作権のある著作物に関連した失効日は、著作権のある著作物内に埋め込まれ、その後、著作権のある著作物が再生できるときを制限する。
【００２２】
著作権・再生管理情報埋込部１２０は、著作権・再生管理情報を、フレームベースメディア１０７の少なくとも１つのデータフィールド内に埋め込むことを理解されたい。一実施形態において、データフィールドは、ＭＰ３ファイルのアプリケーションプライベートビットである。通常、ＭＰ３ファイルは、何千ものフレームに分割されている。例えば、３分〜５分の曲は、約８，０００〜１２，０００のフレームを有することが可能である。それぞれのフレームは、数秒分のオーディオデータ部分からなる。データフレーム毎の開始位置には、次のデータフレームに関連する３２ビットのメタデータを格納するヘッダフレームがある。ＭＰ３のヘッダは、１１ビットから成る同期ブロックから始まる。同期ブロックは、プレイヤが第１の入手可能な有効フレームの発生をサーチし、ロックすることを可能にする。続く同期ブロックは、適正なデコーディングおよび続くＭＰ３ファイルの再生を容易にする複数の他のヘッダブロックである。これら他のヘッダブロックの１つは、アプリケーションプライベートビットであり、これは、アプリケーション特有のトリガを考慮している。例えば、ＭＰ３ファイル内に８，０００のフレームが存在する場合、総数８，０００のプライベートビットについて、各フレームに対応するプライベートビットが存在する。
【００２３】
一実施形態において、著作権・再生管理情報は、連続したオーディオフレームにわたるＭＰ３のフレームヘッダのアプリケーションプライベートビットを用いたマルチビットデータ構造を有する。例えば、著作権・再生管理情報が３２ビットを含む場合、それぞれのビットは、対応する３２の連続したフレーム内の３２の連続したアプリケーションプライベートビットに格納される。特に、著作権・再生管理情報の第１ビットは、最初のオーディオフレームのヘッダのアプリケーションプライベートビットに格納される。著作権・再生管理情報の第２のビットは、著作権・再生管理情報のすべてのデータが連続するフレームに格納されるまで、第２のオーディオフレームなどのアプリケーションプライベートビットに格納される。
【００２４】
さらに、著作権・再生管理情報データブロックに関連するビットシーケンスは、オーディオファイル全体を通して継続的に繰り返される。すべてのデータブロックがエンコードされると、著作権および再生管理情報データブロックの最初のビットがＭＰ３ファイル内の次のフレームのヘッダのアプリケーションプライベートビット内に格納される。したがって、再生機器は、再生が開始されたファイル内の開始位置に関わらず、オーディオファイルの著作権・再生管理情報を検出することができる。例えば、ＭＰ３ファイルが８，０００フレーム、および、対応する８，０００のアプリケーションプライベートビットを有する場合、３２ビットの著作権・再生管理情報のデータブロックは、ＭＰ３ファイル全体に格納された著作権・再生管理情報データブロックの合計２５０の連続して繰り返されるインスタンスに対し、最初の３２の連続したアプリケーションプライベートビットに最初に格納され、連続するアプリケーションプライベートビットに繰り返し格納される。
【００２５】
一実施形態において、著作権・再生管理情報（ＣＭＩ）は、以下のフォーマットを有する３２ビットデータ構造を有する。３２ビットデータ構造は、コピーコントロール情報に加え、再生権情報をエンコードするのに使われるＳＣＭＳデータ構造であることを理解されたい。例えば、著作権の保有者は、ライセンスキー、または他のアクセス機構を要求する前に、特定の著作物を一定の回数自由に再生させることを選択することができる。
【００２６】
３２ビットデータ構造の要素は、表１に示される。
【００２７】
【表１】
2012528401.tif 000003
【００２８】
暗号化機構を用いることによって追加のセキュリティも可能である。具体的には、エンコーダは、ファイルのオーディオデータをエンコーディングする際のキーとして使われる１以上のデータバイトシーケンスを生成する。キーシーケンスは、ファイルのデータのすべてまたは一部にわたる暗号化してセキュアなダイジェストから導かれ得る。よって、キーシーケンスは、オーディオファイルごとに異なる可能性が高い。
【００２９】
ＳＣＭＳデータブロックのすべてまたは一部の暗号化に使われるキーシーケンスは、各著作権のある著作物に特有である。キーシーケンスは、著作権のある著作物からのデータを使って生成することができる。よって、ＳＣＭＳデータブロックは、著作権のある著作物の完全性および信頼性を高めるのに役立っている。
【００３０】
再生装置がより容易に著作権・再生管理情報を検出することができるようにするために、それぞれの著作権・再生管理情報データブロックの２つのマーカーバイトをエンコードされない状態のままにしておくことが可能であることを理解されたい。
【００３１】
より強力な暗号アルゴリズムは、処理されるデータブロックが８バイト以上の倍数であるサイズを有しなければならないという制限を課すことを理解されたい。このように、著作権・再生管理情報を確認する再生装置内のロジックは、事実上複雑になる可能性がある。
【００３２】
一実施形態において、システム１０５は、一意識別子埋込部１２５を介してフレームベースメディアに技術的手段を追加することによって、著作権のあるフレームベースメディア１０７に支払われるべき著作権使用料の適正な支払いを確実にする。一意識別子埋込部１２５は、少なくとも１つの一意識別子を、ＭＰ３ファイルなどであるがそれに限定されないフレームベースメディアに埋め込む。少なくとも１つの一意識別子は不変であることを理解されたい。一実施形態において、少なくとも１つの一意識別子は、ＩＤ３Ｖ２タグなどが挙げられるがこれに限定されないＭＰ３ファイルのメタデータ内に埋め込まれる。
【００３３】
さらに、少なくとも１つの一意識別子は、著作権のあるフレームベースメディア１０７に関連する米国著作権局から付与された有効な著作権登録番号である。著作権登録は、著作権主張の公的な記録を証明する。米国著作権局への曲の登録は、著作権のある曲に付随する複数の著作権登録番号を有し得る。例えば、米国著作権局に登録された曲は、曲の歌詞に対して１つの著作権登録番号を有し、その曲の演奏に対しては異なる著作権登録番号を有し得る。他の実施形態において、少なくとも２つの著作権登録番号が、ＭＰ３ファイルのＩＤ３Ｖ２タグ内に埋め込まれる。著作権登録番号は、ＭＰ３ファイルに関連した任意の有効な著作権登録番号であって、模倣、原作者の手を離れた著作物、歌詞などに関連した著作権録番号などが含まれるが、これらに限定されないことを理解されたい。少なくとも１つの一意識別子の埋め込みは、フレームベースメディアの改ざんおよび偽造を防ぐことに役立つことを理解されたい。
【００３４】
システム１０５は、著作権・再生管理情報埋込部１２０が著作権・再生管理情報をフレームベースメディア１０７に埋め込むおよび／または一意識別子埋込部１２５が少なくとも１つの一意識別子をフレームベースメディア１０７に埋め込むことに次いで、フレームベースメディアをエンコードする。フレームベースメディア１０７に埋め込まれる著作権・再生管理情報のエンコードは、オーディオデータをいかなるようにも変更せず、原作または模倣の完全性を損なわないことを理解されたい。エンドユーザからのリクエストにより、システム１０５は、エンコードされたフレームベースメディア１０９をメディア装置１４０に送信する。
【００３５】
トランスコーディングが実行されることにより、フレームベースメディアはフレームレスなメディアになり得る。例えば、ＭＰ３ファイルは、フレーム、ヘッダ、フッタを失い、ペイロードのみが残る他のフォーマット（例えば、ｗａｖ、ＡＣ３）にトランスコードされ得る。フレームレスメディアファイルにおいて、著作権・再生情報は、ウォーターマーキング技術を採用することによってエンコードすることが可能である。著作権・再生情報は、リスナーには通常知覚されない特定の周波数を選択し、その値を変更して著作権・再生情報データを反映することによってフレームレスメディアファイルにエンコードされる。ウォーターマーキング技術などのメカニズムは、オーディオデータに直接作用し、著作物の表現に影響を及ぼすことを理解されたい。
【００３６】
例えば、再生されるときのビデオファイルは、適切なオーディオコンポーネントに飛ばされるオーディオトラックデータをたいていの場合有している。同様に、フレームレスオーディオファイルにおいて、定期的に著作権・再生情報を探すためにオーディオ経路のコンポーネントが変更される可能性がある。重要なパターンでマッチすることが保証されるように低い周波数が選択され、サンプリングされる場合、著作権・再生情報は、著作権再生規則に関してさらに読み取られることができる。
【００３７】
メディア機器１４０は、エンコードされたフレームベースメディア１０９をデコードするデコーダ１５０と、著作権・再生管理情報管理部１６０と、一意識別子照合部１６５と、著作権使用料支払保証部１７０とを備える。メディア装置１４０は、エンコードされたフレームベースメディア１０９を読み取ることができ、メディア装置１４０のユーザに送信されたフレームベースメディアへのアクセスを許可することができる任意のメディア装置であり、例えばＭＰ３プレイヤなどであるが、それに限定されないことを理解されたい。メディア装置１４０は、技術的手段を回避するものではないことを理解されたい。スクランブル化された著作物をスクランブル解除する技術的手段を回避するということは、著作権者の承認なしに、暗号化された著作物を暗号解除するか、または、技術的手段を避けるか、迂回するか、取り除くか、停止させるか、または損なうことを意味する。
【００３８】
著作権・再生管理情報管理部１６０は、フレームベースメディア内に埋め込まれた著作権・再生管理情報にしたがって、フレームベースメディア１０７を管理する。著作権・再生管理情報管理部１６０は、フレームベースメディア１０７に関連する著作権保護の管理および／または実施に関する任意の情報にしたがってフレームベースメディア１０７を管理することを理解されたい。例えば、著作権・再生管理情報は、上述の表１で示されたようなフォーマットを有する３２ビットデータ構造を有し、著作権・再生管理情報管理部１６０は、表１に記載された規則にしたがってフレームベースメディア１０７を管理する。著作権・再生管理情報管理部１６０は、フレームベースメディア１０７内に埋め込まれたＳＣＭＳスキームにしたがってフレームベースメディア１０７を管理する、上述したようなＳＣＭＳであってもよいが、これに限定されないことを理解されたい。
【００３９】
一意識別子照合部１６５は、デコードされたフレームベースメディア内に埋め込まれた少なくとも１つの一意識別子が、フレームベースメディア１０７に埋め込まれた少なくとも１つの一意識別子と同じであることを確認する。一実施形態において、一意識別子照合部１６５は、ＩＤ３Ｖ２タグに埋め込まれたＭＰ３ファイルに関連する２つの著作権登録番号が、装置１４０においてＭＰ３ファイルをデコードした後のＩＤ３Ｖ２タグに埋め込まれたＭＰ３ファイルに関連する２つの著作権登録番号と同じであることを確認する。装置１４０でデコードされた少なくとも１つの一意識別子は、フレームベースメディア１０７に埋め込まれた少なくとも１つの一意識別子と同じである、と一意識別子照合部１６５が判定した場合、デコードされたフレームベースメディア１０７は改ざんされておらず、偽物ではないことを判断する助けとなることを理解されたい。上述のように、ＩＤ３Ｖ２タグは、ＭＰ３フレームヘッダ内のメタデータであることを理解されたい。
【００４０】
一実施形態において、著作権使用料支払保証部１７０は、埋め込まれた著作権・再生管理情報の少なくとも一部分に基づいて、著作権のあるフレームベース著作物１０７に支払われるべき著作権使用料の適正な支払いを確実にする。一般的に、著作権のある著作物の著作権者は、フレームベースメディア１０７が送信されると、著作権使用料に対する権利が与えられる。著作権・再生管理情報管理部１６０および一意識別子照合部１６６の出力に少なくとも一部に基づいて、フレームベースメディアの著作権者は、支払われるべき著作権使用料の適正な支払いが保障される。例えば、著作権・再生管理情報管理部１６０は、フレームベースメディア１０７の送信が３回までしかコピーを許可されていないことを判定し、その後、著作権・再生管理情報管理部１６０は、フレームベースメディアを３回だけコピーすることを許可し、著作権使用料支払保証部１７０は、支払われるべき著作権使用料の適正な支払いを確実にすべく、作成されたコピーの量を追跡する。
【００４１】
さらに、著作権使用料支払保証部１７０は、埋め込まれた少なくとも１つの一意識別子に基づいて、著作権のあるフレームベース著作物１０７に支払われるべき著作権使用料の適正な支払いを確実にする。例えば、フレームベース著作物１０７が偽のフレームベース著作物である場合、著作権のあるフレームベース著作物の著作権者は、当該フレームベース著作物の送信、使用、およびコピーに関して著作権使用料の権利が与えられることはないだろう。一意識別子照合部１６５が、フレームベース著作物１０７は改ざんされておらず、または偽の著作物ではないことを確認した場合、著作権使用料支払保証部１７０は、偽物でないフレームベース著作物１０７の使用を追跡し、著作権者は、著作権のある著作物の使用に対して当然支払われるべき著作権使用料が保証される。
【００４２】
一般的に、著作権を有する録音物がユーザに送信される場合、著作権を有する録音物を送信する当事者は、送信される録音物に対して著作権使用料を支払うことを要求される。支払われるべき著作権使用料は、演奏著作権使用料および出版著作権使用料であり得るが、これに限定されない。一般的に、演奏著作権使用料は、録音物の演奏者に支払われる。出版著作権使用料は、曲の作詞家に支払われる。従って、当事者が、原作者の手を離れた著作物（模倣などが挙げられるがこれに限定されない）を送信しかつ、当該原作者の手を離れた著作物の著作権を所有している場合、この当事者は、著作権を有するメディアの録音物の前の著作権者に支払われたであろう演奏著作権使用料を支払うことを要求されない。しかしながら、原作者の手を離れた著作物の著作権者は、録音物の歌詞を書いた録音物の作詞家に対しては著作権使用料を払うことを要求され、演奏された模倣または類似著作物の演奏著作権使用料に対しての権利が与えられている。したがって、原作者の手を離れた著作物を送信する当事者は、著作権のあるメディア録音物の著作権者に支払われたであろう著作権使用料（例えば、演奏著作権使用料）に対して権利が与えられており、著作権収益獲得が強化されていると言える。さらに、原作者の手を離れた著作物だけでなく、著作権保護の登録に対しても著作権使用料が発生する。
【００４３】
例えば、ユーザは、著作権のあるメディアをデジタルメディアストアでオンライン購入することができる。購入したメディアは、任意のメディアプレイヤーアプリケーションで再生される場合もある。しかしながら、購入したメディアは、メディアストアに特有のメディアプレイヤーアプリケーションでのみ再生される場合もある。基本操作において、デジタルメディアストアは、購入し、ダウンロードするそれぞれの曲を提供するのに十分な権利を最初に取得する。曲をエンドユーザが購入およびダウンロードすると、デジタルメディアストアは、演奏著作権使用料および出版著作権使用料などであるがこれに限定されない、送信された著作権のある曲の著作権使用料を支払うことを要求される。
【００４４】
例えば、１つの著作権のある曲を１ドルでエンドユーザに販売した場合、デジタルメディアストアは、演奏著作権使用料として約０．７ドル、出版著作権使用料として約０．０９ドルを支払うことを求められている。しかしながら、原作者の手を離れた、模倣などであるがこれに限定されない著作物を作成し、当該原作者の手を離れた著作物の著作権を保有した場合、デジタルメディアストアは、著作権のある曲の演奏著作権使用料（例えば、０．７ドル）を支払うことは要求されず、代わりに、演奏著作権使用料を請求することができるようになれば、デジタルメディアストアの著作権収益の獲得を強化することになろう。言うまでもなく、デジタルメディアストアは、著作権のあるメディア録音物から原作者の手を離れた著作物を作成するわけではなく、現在のところ、エンドユーザに送信された曲ごとに、少なくとも演奏著作権使用料および出版著作権使用料を支払うことを要求されている。
【００４５】
著作権使用料支払制御部１８０は、装置１４０から情報を受け取り、著作権のある著作物の著作権者に、著作権のある著作物の使用に対して適宜支払う。著作権使用料支払制御部１８０は、上演権組織（例えば、全米作曲家作詞家および出版者協会、Ｂｒｏａｄｃａｓｔ  Ｍｕｓｉｃ社、ＳＥＳＡＣ社、およびＳｏｕｎｄＥｘｃｈａｎｇｅ）および／または、機械的複製権（例えば、Ｈａｒｒｙ  Ｆｏｘ  Ａｇｅｎｃｙ  ａｎｄ  Ｃａｎａｄｉａｎ  Ｍｅｃｈａｎｉｃａｌ  Ｒｉｇｈｔｓ  Ｒｅｐｒｏｄｕｃｔｉｏｎ  Ａｇｅｎｃｙ）であり得るが、これに限定されないことを理解されたい。
【００４６】
図２は、著作権収益獲得を強化するプロセス２００を示すフローチャートである。一実施形態において、プロセス２００は、コンピュータ読み取り可能かつコンピュータ実行可能命令の制御下で、処理装置および電気部品によって実行される。コンピュータ読み取り可能かつコンピュータ実行可能命令は、例えば、コンピュータで使用できる、揮発性および不揮発性メモリなどのデータ記憶媒体内に存在する。しかしながら、コンピュータ読み取り可能かつコンピュータ実行可能命令は、いかなるタイプのコンピュータ読み取り可能記憶媒体内に存在してもよい。一実施形態において、プロセス２００は、少なくとも図１のシステム１０５によって実行される。システム１０５は、フレームベースメディアデータベース１１０と、著作権・再生管理情報埋込部１２０と、一意識別子埋込部１２５と、エンコーダ１３０とを少なくとも含む機械またはコンピュータであり得ることを理解されたい。
【００４７】
図２のブロック２１０において、著作権・再生管理情報は、著作権のあるフレームベース著作物の少なくとも１つのデータフィールドに埋め込まれる。著作権・再生管理情報は、著作権のあるフレームベース著作物へのアクセスに対応する。一実施形態において、ブロック２１１で、著作権・再生管理情報は、ＭＰ３ファイルの少なくとも１つの対応するフレームの、少なくとも１つのアプリケーションプライベートビットに埋め込まれる。別の実施形態において、ブロック２１２では、著作権・再生管理情報は、複数のアプリケーションプライベートビットのシーケンス内に埋め込まれる。別の実施形態において、ブロック２１３で、著作権・再生管理情報は、複数のアプリケーションプライベートビットのシーケンス内に繰り返し、継続的に埋め込まれる。
【００４８】
ブロック２１４では、著作権・再生管理情報は、著作物のバージョン番号である。ブロック２１５では、著作権・再生管理情報は、著作物のコピーが許可されないことである。ブロック２１６では、著作権・再生管理情報は、著作物のコピーが許可される回数である。ブロック２１７では、著作権・再生管理情報は、著作物の再生が許可される回数である。
【００４９】
ブロック２２０において、著作権のあるフレームベース著作物がエンコードされる。ブロック２３０において、エンコードされた著作権のあるフレームベース著作物が送信される。一実施形態において、ブロック２３５で、エンコードされた著作権のあるフレームベース著作物は、装置に送信される。装置は、埋め込まれた著作権・再生管理情報をデコードし、著作権のあるフレームベース著作物に支払われるべき著作権使用料が確実に支払われるようにする。ブロック２４０で、著作権のあるフレームベース著作物に支払われるべき著作権使用料が適切に支払われることが、埋め込まれた著作権・再生管理情報の少なくとも一部に基づいて確実となる。
【００５０】
図３は、著作権収益獲得を強化するプロセス３００を示すフローチャートである。一実施形態において、プロセス３００は、コンピュータ読み取り可能かつコンピュータ実行可能命令の制御下で、処理装置および電気部品によって実行される。コンピュータ読み取り可能かつコンピュータ実行可能命令は、例えば、コンピュータで使用できる、揮発性および不揮発性メモリなどのデータ記憶媒体内に存在する。しかしながら、コンピュータ読み取り可能かつコンピュータ実行可能命令は、いかなるタイプのコンピュータ読み取り可能記憶媒体内に存在してもよい。一実施形態において、プロセス３００は、少なくとも図１のシステム１０５によって実行される。システム１０５は、フレームベースメディアデータベース１１０と、著作権・再生管理情報埋込部１２０と、一意識別子埋込部１２５と、エンコーダ１３０とを少なくとも含む機械またはコンピュータであり得ることを理解されたい。
【００５１】
ブロック３１０で、少なくとも２つの一意識別子が、著作権のあるフレームベース著作物の少なくとも２つのデータフィールド内に埋め込まれる。少なくとも２つの一意識別子の埋め込みは、著作権のあるフレームベース著作物へのアクセスに対応する。一実施形態において、ブロック３１２で、少なくとも２つの一意識別子は、ＭＰ３ファイルの少なくとも１つの対応するフレームのＩＤ３Ｖ２タグ内に埋め込まれる。別の実施形態において、ブロック３１４で、著作権のあるフレームベース著作物に対応する基礎となる録音物の著作権登録番号が、フレームベース著作物内に埋め込まれる。ブロック３１６で、著作権のあるフレームベース著作物に対応する基礎となる作曲の著作権登録番号が、フレームベース著作物内に埋め込まれる。
【００５２】
ブロック３２０で、著作権のあるフレームベース著作物がエンコードされる。ブロック３３０において、エンコードされた著作権のあるフレームベース著作物が送信される。一実施形態において、ブロック３３５で、エンコードされた著作権のあるフレームベース著作物は、装置に送信される。装置は、少なくとも２つの一意識別子を確認することにより、著作権のあるフレームベース著作物が偽物でないかどうかを判断する。ブロック３４０で、著作権のあるフレームベース著作物に支払われるべき著作権使用料が適切に支払われることが、埋め込まれた少なくとも２つの一意識別子の少なくとも一部に基づいて確実となる。
【００５３】
図４は、著作権収益獲得強化プロセス４００を示すフローチャートである。ブロック４１０において、著作権のある著作物のリスナーには通常知覚されないオーディオ周波数が選択される。著作権のある著作物は、フレームレス著作物にトランスコーディングされるフレームベース著作物である。ブロック４２０で、著作権・再生管理情報は、著作権のある著作物のリスナーには通常知覚されない選択されたオーディオ周波数の範囲内でエンコードされる。ブロック４３０において、エンコードされた著作権のあるフレームレス著作物がエンドユーザに送信される。ブロック４４０で、著作権のあるフレームレス著作物に支払われるべき著作権使用料が適切に支払われることが、エンコードされた著作権・再生管理情報の少なくとも一部に基づいて確実となる。
【００５４】
[コピー規則]
概して、メディアファイルのコピーおよび／または再生を許可するかまたは拒否する能力を有するセキュアなコピー／再生アプリケーションについてここで述べる。メディアファイルの実施形態は、オーディオ、ビデオなどを含んでよい。ユーザは、ＭＰ３の曲を購入し、購入された曲は、ユーザのコンピュータのメディアプレイヤーアプリケーションライブラリへダウンロードされる。ＭＰ３の曲は、著作権保護などであるがこれに限定されない、コピー、転送または再生制限などであり得る、関連する使用に対するプロテクションが施されている。この例において、ＭＰ３の曲の使用制限は、ユーザがコピーを作成することを許可しない。このように、セキュアなコピー／再生アプリケーションは、ユーザがＭＰ３の曲のコピーをＣＤに焼くことやＭＰ３プレイヤに曲をダウンロードすることなどを許可しない。言い換えると、曲の単一のコピー（オリジナルのダウンロードされたバージョン）がユーザのコンピュータに記憶されるだけである。
【００５５】
別の例において、ユーザはビデオを購入し、購入されたビデオはユーザのコンピュータのメディアプレイヤーアプリケーションライブラリにダウンロードされる。ビデオは著作権保護されており、使用に対して施されたプロテクションは、ユーザに３つのコピーを作成することを許容する。このように、セキュアなコピー／再生アプリケーションは、ユーザに最大３つのコピーを作成することを許容する。例えば、ビデオのコピーをＣＤまたはＤＶＤに焼くこと、ビデオを携帯ビデオプレイヤーにダウンロードすること、バックアップコピーを作ること、などである。言い換えると、ビデオの単一のコピーがユーザのコンピュータに残り、一方、３つの他のコピーが作られ、使用される可能性がある。
【００５６】
一実施形態において、本技術は、認証および制御されたコピーに際して、認証および制御されたメディアの再生と同じフレームベース著作物および手順を用いている。よって、他に記載のない限り、本明細書を通じて再生という用語はコピーに置き換えられ得ることが理解される。別の実施形態において、再生およびコピーコントロールは、別個の装置および操作で実行されてよい。しかしながら、明確にする目的で、本明細書の例では、メディアの認証されかつ制御されたコピーおよび／または再生と記載する。
【００５７】
図５を参照すると、使用制限されたフレームベース著作物のセキュアなメディアコピーおよび／または再生（Ｃ／Ｐ）が許可されるかを判定する方法のフローチャート５００が示されている。一実施形態において、本明細書で記載される方法は、セキュアなコピー／再生アプリケーションがＳＣＭＳおよびＣＭＩに適合するために従い得る多数の規則を提供する。セキュアなコピーおよび／または再生制限の例示的な一実施形態として、以下のルールが提供されるが、他の実施形態においては、さらなる規則が追加されるか、または、現在提供されている規則が無視されてよいことを理解されたい。さらに、本記載では、コピーという用語が使用されているが、他の実施形態においては、コピーは、複製、共有などに置き換えられてよい。
【００５８】
図５の５０１を参照すると、一実施形態では、マルチメディアブロードキャストを配信するためにインターネットを使用する。マルチメディアは、フレームベースメディアデータベース１１０内に格納された任意のフレームベースメディア１０７であってよいことを理解されたい。一実施形態において、フレームベースメディア１０７は、ＭＰ３（ＭＰＥＧ−１  Ａｕｄｉｏ  Ｌａｙｅｒ  ３）ファイルである。図１〜図４を参照して説明された方法およびシステムは、マルチメディアに関して実行されるかまたは使用されてよい。
【００５９】
図５の５０５を参照すると、コピーおよび／または再生（Ｃ／Ｐ）メディア要求が生成される。
【００６０】
図５の５１０を参照すると、フレームベースメディア２１０は、ＳＣＭＳ情報の有効性についてチェックされる。一実施形態において、以下の用語は、フレームベースメディア２１０の多数の考えられる構成を明確に区別するために使用される。例えば、オリジナルフレームベースメディア２１０は、有効なＳＣＭＳデータ、または、無効かまたは欠落したＳＣＭＳデータのいずれかを有するだろう。無効かまたは欠落したＳＣＭＳデータを有するオリジナルのフレームベースメディア２１０は、本明細書中では、目的ファイルとも称される。
【００６１】
５１５で示されたように、フレームベースメディア２１０の目的ファイルは、コピー／再生が許可されていないバージョンである。例えば、ＳＣＭＳフレームベース著作物は、ソースファイルがＳＣＭＳ情報を有さないと明確に判定されることが可能な場合、目的ファイルがコピーされることを許可しないだろう。一実施形態において、コピー・再生コントロールが同一の構造を使用していたとしても、コピーできないファイルは再生不可能なファイル、または、再生不可能なファイルはコピーできないファイルであることを意味しない。言い換えると、ユーザは、ＳＣＭＳ情報を含まないメディアファイルを有する可能性が高い。このように、コピーが許可されていない場合であっても、ファイルが自由に再生できないことを意味するわけではない。
【００６２】
例えば、一実施形態において、メディアファイルは、ＳＣＭＳ情報を含まないソースからのものである。このように、セキュアなコピー／再生アプリケーションは、コピーが作られないことを確実にし、これは、所有者の著作権を守る助けとなる。しかしながら、セキュアなコピー／再生アプリケーションは、必ずしもファイルが再生されることを止めるものではない。
【００６３】
別の実施形態において、メディアファイルがＳＣＭＳ情報を含まない場合、セキュアなコピー／再生アプリケーションは、メディアのコピーまたは再生を許可しない場合がある。
【００６４】
図５の５１５を再び参照すると、ソースファイルが検出可能なＳＣＭＳ情報を有するが、当該情報が破損しているか、または内部で不整合である場合、セキュアなコピー／再生アプリケーションは、ファイルをコピーしないはずである。さらに、一実施形態においては、ファイルの再生も許可されないだろう。
【００６５】
以下の例は、フレームベースＭＰ３ファイルのＳＣＭＳ情報の改ざんが疑われるいくつかの可能性のある場合を示す。
−オーディオファイルのＭＰＥＧオーディオタグまたはＩＤ３ｖ２タグが変更されている場合、ＳＣＭＳデータブロックのエンコードされた部分は、無効な情報にデコードされる。
−すべてではないがいくつかのＭＰ３フレームヘッダのアプリケーションプライベートビットが修正されている場合、１以上の有効なＳＣＭＳデータブロックがファイル内で検出されてよい。
【００６６】
対照的に、一実施形態において、これらに限定されないが以下の経験則に基づいて、ファイルが有効なＳＣＭＳ情報を有すると考えてよい。
−ＳＣＭＳマーカーシーケンスがオーディオファイル内で少なくとも１度発見される。
−使用制限されたオリジナルのプロテクトビットは、ファイルのオーディオフレームのすべてに設定される。
−リザーブとしてマークされるＳＣＭＳデータブロック内のフィールドは、ゼロに設定され、バージョン情報は、認識された値に設定される。
【００６７】
別の実施形態において、以下のすべての条件を満たす場合、ファイルは、有効なＳＣＭＳ情報を有するだろう。
−ファイル内のオーディオフレーム毎に、フレームヘッダは、使用制限されたオリジナルプロテクトビットセットを有する。
ＳＣＭＳデータブロックがオーディオファイル全体を通して見つかり、これらのデータブロックは、有効なフォーマットを有している。
具体的には、各ＳＣＭＳデータブロックは、正しい２バイトマーカーを有し、バージョンフィールドは、ＳＣＭＳ仕様書の認識されたバージョンに対応する。また、リザーブフィールドは、ゼロに設定される。
【００６８】
一実施形態において、エンコード用アプリケーションは、ＭＰ３ファイルのフレーム内のアプリケーションプライベートビットを任意の値に設定することが可能である。エンコード用アプリケーションは、アプリケーションプライベートビットを自身の目的のために用いることも可能である。一般的に、アプリケーションプライベートビットの使用は、必ずしもＳＣＭＳ情報を無効にしない。
【００６９】
図５の５２０を参照すると、一実施形態において、有効なＳＣＭＳデータを有するオリジナルフレームベースメディア２１０は、図２の情報２１０〜２１７のようなコピー／再生コントロール情報を含むだろう。例えば、情報は、コピーされることが許可された回数、または再生が許可された回数を示す。コピーまたは再生回数（ｎ）は、通常、著作権者または配信者によって定義される。一般的に、コピー回数（ｎ）および／または再生回数は、ｎ＝制限なし、ｎ＝一定の回数、および、ｎ＝０の３つのカテゴリのうちの１つに当てはまる。一般的に、再生回数は、コピー回数と相関する必要はない。しかしながら、本明細書でさらに説明するように、一実施形態では、再生回数は、ファイルをそれぞれコピーする間に、各コピーについて設定されてよい。
【００７０】
図５の５２５において、値ｎ＝制限なしの値を有する、有効なＳＣＭＳデータを有するフレームベースメディア２１０は、本明細書において、無制限ファイルと称される。一実施形態において、無制限ファイルは、自由にコピー／再生できるファイルである。さらに、無制限ファイルは、フローチャート６００で定義される、セキュアなコピー／再生アプリケーションによって、またはその外で、コピー／再生され得る。
【００７１】
対照的に、図５の５１５において、値ｎ＝０である有効なＳＣＭＳデータを有するフレームベースメディア２１０は、コピー／再生が許可されない図２の２１５と同様であり、これも本明細書では目的ファイルと称する。換言すると、コピーコントロール情報が、ファイルがコピーを許可されていないことを指定した場合、セキュアなコピー／再生アプリケーションは、ファイルをコピーしないはずである。さらに、ソースファイルのＭＰ３フレームヘッダにオリジナルビットが設定されていない場合、ファイル内の他のフレームのヘッダのオリジナルビットの状態にかかわらず、セキュアなコピー／再生アプリケーションはファイルをコピーしないはずである。さらに、一実施形態において、ソースファイルにコピープロテクトがかけられているか、または、変更ができない場合、セキュアなコピー／再生アプリケーションは、ファイルをコピーしないはずである。
【００７２】
しかしながら、一実施形態において、コピー・再生コントロールが同一の構造を使用していたとしても、コピーできないファイルは、再生不可能なファイルであることを意味せず、または、再生不可能なファイルは、コピーできないファイルであることを意味しない。言い換えると、コピーおよび／または再生が同一のプロセスを使用していたとしても、一実施形態において、コピーと再生とは別のものである。よって、ユーザが、自由に再生できる、コピーできないメディアファイルを有する可能性はかなり高い。
【００７３】
図５の５３０を参照すると、一実施形態において、有効なＳＣＭＳデータを有するフレームベースメディア２１０は、本明細書ではソースファイルと称される。この有効なＳＣＭＳデータによって、図２の２１６に示されるような、制限された数（ｎ）のコピーおよび／または制限された数の再生が許可される。明確にするために、以下では、トータルで（ｎ）回コピーすることが許可されたソースファイルについて述べる。しかしながら、別の実施形態において、再生が一定の数（ｎ）に制限された場合、再生回数も同様に制御され得る。さらなる実施形態において、所与のメディアファイルについて、コピー回数および再生回数の両方が同時に制御されてよい。
【００７４】
フローチャート６００を参照すると、本発明の一実施形態に従う、プロテクトが施されたフレームベース著作物のセキュアなメディアコピー方法が示されている。例えば、図５の５２０および５３０において、コピーコントロール情報が１以上のコピーの作成を許可することを指定した場合、セキュアなコピー／再生アプリケーション６１２は、ソースファイル６１０の目的ファイル６２５を作るだろう。
【００７５】
一実施形態において、セキュアなコピー／再生アプリケーション６１２は、コピープロセスを開始する前に、ターゲットファイル６１５を生成する。一般的に、ターゲットファイル６１５は、ソースファイル６１０の作業用コピーである。一実施形態において、ターゲットファイルは、値（ｎ）を含むソースファイルの正確な複製である。セキュアなコピー／再生アプリケーションは、目的ファイル６２５およびソースファイル６３０を生成するために、ターゲットファイル６１５を使用する。その間に、コピーのエラーがコピーされるファイルに損害を与えた場合、損傷されるのはターゲットファイル６１５であって、ソースファイル６１０ではない。別の実施形態において、セキュアなコピー／再生アプリケーション６１２は、ターゲットファイル６１５を使用せず、ソースファイル６１０から直接コピープロセスを実行してよい。
【００７６】
一実施形態において、ターゲットファイル６１５がセキュアなコピー／再生アプリケーション６１２によってコピーされた場合、結果は、目的ファイル６２５と、（ｎ−１）回の利用可能なコピー回数を残したソースファイル６３０とを含むだろう。別の実施形態において、セキュアなコピー／再生アプリケーション６１２がソースファイル６１０から直接コピープロセスを実行した場合、結果は、目的ファイル６２５と、（ｎ−１）回の利用可能なコピー回数を残したソースファイル６３０とを含んでよい。しかしながら、さらに別の実施形態において、セキュアなコピー／再生アプリケーション６１２がソースファイル６１０から直接コピープロセスを実行した場合、結果は、目的ファイル６２５と、ソースファイル６１０内おける（ｎ）から（ｎ−１）へのコピー許可に対してのみの変更を含んでよい。
【００７７】
図６を参照すると、一実施形態において、目的ファイル６２５は、コピーが許可されないことを指定する有効なＳＣＭＳ情報を有する。さらに、一実施形態において、目的ファイル６２５のＭＰ３フレームヘッダのオリジナルメディアビットは設定されないはずだが、使用制限保護ビットは設定されるべきである。
【００７８】
一実施形態において、ソースファイル６３０が作成された場合、ソースファイル６３０のコピーコントロール情報は、目的ファイル６２５も作られていることを反映するために変更される。例えば、ソースファイル６１０のコピーコントロール情報が、コピー操作が行われる前には、３回のコピーが許可される（ｎ＝３）ことを示している場合、そのコピー操作が行われた後、ソースファイル６３０は、許可されたコピーが残り２回（ｎ＝２）であることを示すだろう。最後に許可されたコピーが作られると、コピーコントロール情報は、ソースファイル６３０のコピーが許可されていないことを示すよう設定されるはずである（ｎ＝０）。言い換えると、ソースファイルのコピー回数が（ｎ＝０）に達した場合、２つの最終コピーが、目的ファイル６２５および（ｎ＝０）のソースファイル６３０を含み、２つのファイルの相違は、目的ファイルは、ＭＰ３フレームヘッダ内に設定されるオリジナルメディアビットを有しないことである。その時点では、フレームベースメディア２１０のコピーはもう不可能だろう。
【００７９】
一実施形態において、図６の検証部６３５は、目的ファイル６２５およびソースファイル６３０を検証する。例えば、６４０に示されるように、コピー操作中にエラーが発生し、コピーを検証することが出来ない場合、ソースファイル６１０はリストアされ、ターゲットファイル６１５、目的ファイル６２５、および、ソースファイル６３０が作成されていればこれらは削除される。よって、コピー操作を失敗させる原因となったエラー条件がターゲットファイル６１５に悪影響を与えようとも、ターゲットファイル６１５を使用することによって、ソースファイル６１０の完全性は維持される。言い換えると、ターゲットファイル６１５を使用することにより、セキュアなコピー／再生アプリケーションは、ソースファイル６１０のコピーコントロールを行うことが可能になる。
【００８０】
しかしながら、図６の６５０を参照すると、目的ファイル６２５およびソースファイル６３０が有効にされた場合、ソースファイル６１０およびターゲットファイル６１５は削除され、現在許可されるコピー（ｎ−１）回に調整された目的ファイル６２５およびソースファイル６３０が保持される。一実施形態において、フローチャート５００および６００の両方は、さらなるコピーが許可されなくなるまで繰り返されてよい。一実施形態において、最後に使用可能な目的ファイルを生成する間、コピー結果は２つの目的ファイルを含むだろう。
【００８１】
本明細書の例は、ソースファイル６１０ごとに３つのコピーが許可され、または、ファイルごとに１０回の再生が許可される例が使用されているが、これらの数字は、与えられた例を明確にする目的で提供されているに過ぎない。よって、許可されたコピー回数、または、ファイルごとの再生回数が異なった数に定められ、また、コンテンツまたはメディアのタイプによって変わることも可能である。例えば、一実施形態において、メディアの著作権者は、許可されたコピー回数および／またはファイルごとの再生回数の他の値を選択することが可能である。
【００８２】
さらに、一実施形態において、ＳＣＭＳに関して許可されたコピーまたは再生回数の規則と、著作権者が定義したコピーまたは再生回数との間に差異がある場合、許可されたコピー回数は、少ない方のコピー回数をデフォルトとする。例えば、許可されたコピー回数は、著作権者の提案するコピー回数より大きくない限り、ＳＣＭＳの許可されたコピー回数がデフォルトに設定されてよい。
【００８３】
別の実施形態において、著作権者およびＳＣＭＳが異なるコピー許可数を有する場合、（例えば、ＳＣＭＳは４つのコピー、著作権者は６つのコピー）、とにかく大きい方を優先するような階層的な規則が使用されてよい。例えば、許可されるコピー回数は、著作権者が提案する６回のコピーになる。
【００８４】
[例示的なコンピュータシステム]
図７を参照すると、本発明の一実施形態に従ったコンピュータシステム７００の図が詳細に示されている。ここでは、実現される特定のプロセスについて述べる。これらのプロセスは、一実施形態において、システム７００のコンピュータ読み取り可能なメモリユニット内に存在し、システム７００の中央処理装置７０２によって実行される一連の命令として実現される。実行された命令は、コンピュータシステム７００に特定の機能を実行させ、記載された特定の動作を行わせる。
【００８５】
一般的に、本発明の実施形態で用いられるコンピュータシステム７００は、情報を伝達するアドレス／データバス７０１、バス７０１に結合され、情報および命令を処理する１以上の中央処理装置７０２、バス７０１に結合され、中央処理装置７０２のための情報および命令を格納するためのコンピュータ読み取り可能な揮発性メモリユニット７０３（例えば、ランダムアクセスメモリ、スタティックＲＡＭ、ダイナミックＲＡＭ、など）、バス７０１に結合され、中央処理装置７０２のための静的情報および命令を格納するためのコンピュータ読み取り可能な不揮発性メモリユニット７０４（例えば、リードオンリーメモリ、プログラマブルＲＯＭ、フラッシュメモリ、ＥＰＲＯＭ、ＥＥＰＲＯＭ、など）を備える。
【００８６】
システム７００は、バス７０１に結合された、情報および指示を記憶するための磁気または光学ディスクおよびディスクドライブマスストレージコンピュータ読み取り可能なデータ記憶装置７０５も含む。任意で、システム７００は、バス７０１に結合され、コンピュータのユーザ（例えば、保守技術者）に情報を表示するディスプレイ装置７０６、バス７０１に結合され、中央処理装置７０２に情報およびコマンド選択を伝達する英数字およびファンクションキーを含む英数字入力装置７０７、バスに７０１に結合され、ユーザの入力情報およびコマンド選択を中央処理装置７０２に伝達するカーソル制御装置７０８、および、バス７０１に結合され、中央処理装置７０２にコマンド選択を伝達するための信号生成入出力装置７０９を備えることができる。
【００８７】
本技術と共に用いられるのに適切であり得る周知のコンピューティングシステム、環境、および構成の例としては、パーソナルコンピュータ、サーバーコンピュータ、ハンドヘルドまたはラップトップ装置、マルチプロセッサシステム、マイクロプロセッサに基づくシステム、セットトップボックス、プログラマブル家庭用電化製品、ネットワークパソコン、ミニコンピュータ、メインフレームコンピュータ、上述のシステムまたは装置のいずれかを含む分散型コンピュータ環境、などが挙げられるが、これらに限定されない。
【００８８】
まとめると、本記載は、少なくとも以下の広い概念を開示してきた。
[概念１]
プロテクトが施されたフレームベース著作物のコピーをセキュアに制御する方法であって、
プロテクトが施されたフレームベース著作物のシリアルコピーマネジメントシステム情報にアクセスするステップと、
シリアルコピーマネジメントシステム情報を検証するステップと、
プロテクトが施されたフレームベース著作物のコピー管理情報にアクセスするステップと、
セキュアなコピー／再生アプリケーションがプロテクトが施されたフレームベース著作物のコピーを作成することについて認証されるかどうかを判定するために、コピー管理情報を利用するステップと、を含む方法。
[概念２]
プロテクトが施されたフレームベース著作物の再生管理情報にアクセスするステップをさらに含む、概念１に記載の方法。
[概念３]
ＭＰ３ファイルの少なくとも２つのアプリケーションプライベートビットからシリアルコピーマネジメントシステム情報および再生管理情報にアクセスするステップをさらに含む、概念２に記載の方法。
[概念４]
シリアルコピーマネジメントシステム情報の検証が失敗した場合、プロテクトが施されたフレームベース著作物のコピーを許可しないステップをさらに含む、概念１に記載の方法。
[概念５]
コピー管理情報には、プロテクトが施されたフレームベース著作物のコピーを許可しないことが含まれる、概念１に記載の方法。
[概念６]
コピー管理情報には、プロテクトが施されたフレームベース著作物のコピーを、回数を制限して許可することが含まれる、概念１に記載の方法。
[概念７]
再生管理情報には、プロテクトが施されたフレームベース著作物の再生を、回数を制限して許可することが含まれる、概念２に記載の方法。
[概念８]
コピー管理情報には、プロテクトが施されたフレームベース著作物のコピーを、回数の制限なく許可することが含まれる、概念１に記載の方法。
[概念９]
再生管理情報には、プロテクトが施されたフレームベース著作物の再生を、回数の制限なく許可することが含まれる、概念２に記載の方法。
[概念１０]
コンピュータで実行可能な命令群が格納されたコンピュータ読み取り可能媒体であって、命令は、コンプライアンスメカニズムに対して、プロテクトが施されたフレームベース著作物のコピー・再生をセキュアに制御する方法を行わせ、当該方法は、
プロテクトが施されたフレームベース著作物のシリアルコピーマネジメントシステム情報にアクセスするステップと、
シリアルコピーマネジメントシステム情報を検証するステップと、
プロテクトが施されたフレームベース著作物のコピー・再生管理情報にアクセスするステップと、
セキュアなコピー／再生アプリケーションがプロテクトが施されたフレームベース著作物のコピーを作成することについて認証されるかどうかを判定するために、コピー管理情報を利用するステップと、を含むコンピュータ読み取り可能媒体。
[概念１１]
ＭＰ３ファイル内の少なくとも２つのアプリケーションプライベートビットから、シリアルコピーマネジメントシステム情報およびコピー・再生管理情報にアクセスするステップをさらに含む、概念１０に記載のコンピュータ読み取り可能媒体。
[概念１２]
シリアルコピーマネジメントシステム情報の検証に失敗した場合、プロテクトが施されたフレームベース著作物のコピーを許可しないステップをさらに含む、概念１０に記載のコンピュータ読み取り可能媒体。
[概念１３]
コピー・再生管理情報には、プロテクトが施されたフレームベース著作物のコピーを許可しないことが含まれる、概念１０に記載のコンピュータ読み取り可能媒体。
[概念１４]
コピー・再生管理情報には、プロテクトが施されたフレームベース著作物のコピーを、回数を制限して許可することが含まれる、概念１０に記載のコンピュータ読み取り可能媒体。
[概念１５]
コピー・再生管理情報には、プロテクトが施されたフレームベース著作物の再生を、回数を制限して許可することが含まれる、概念１０に記載のコンピュータ読み取り可能媒体。
[概念１６]
コピー・再生管理情報には、プロテクトが施されたフレームベース著作物のコピーおよび再生を、回数の制限なく許可することが含まれる、概念１０に記載のコンピュータ読み取り可能媒体。
[概念１７]
プロテクトが施されたフレームベース著作物のコピー・再生をセキュアに制御するためのシステムであって、
プロテクトが施されたフレームベース著作物のコピー・再生をコンピュータシステムに対してセキュアに制御させる際の命令群を格納したコンピュータ記憶媒体を備えてなり、
命令群は、
プロテクトが施されたフレームベース著作物の、（ｎ）回コピーおよび（ｎ）回再生の管理情報が関連付けられたソースファイルを受信するソースファイル受信部と、
プロテクトが施されたフレームベース著作物のソースファイルに基づいて、（０）回コピーおよび（ｎ）回再生の管理情報が関連付けられた目的ファイルを生成する目的ファイル生成部と、
プロテクトが施されたフレームベース著作物のソースファイルに基づいて、（ｎ−１）回コピーおよび（ｎ）回再生の管理情報が関連付けられた修正ソースファイルを生成する修正ソースファイル生成部と、
プロテクトが施されたフレームベース著作物のソースファイルに基づいて、目的ファイルおよび修正ソースファイルを検証する検証部と、
を有するシステム。
[概念１８]
プロテクトが施されたフレームベース著作物のソースファイルに基づき、（ｎ）回コピーおよび（ｎ）回再生の管理情報が関連付けられたターゲットファイルを生成するターゲットファイル生成部をさらに有し、
目的ファイル生成部および修正ソースファイル生成部は、プロテクトが施されたフレームベース著作物のソースファイルの代わりに、ターゲットファイルを用いる、概念１７に記載のシステム。
[概念１９]
検証が失敗した場合、検証部は、プロテクトが施されたフレームベース著作物のターゲットファイル、目的ファイル、および、修正ソースファイルを削除し、プロテクトが施されたフレームベース著作物のソースファイルを保持する、概念１８に記載のシステム。
[概念２０]
検証が成功した場合、検証部は、プロテクトが施されたフレームベース著作物のターゲットファイルおよびソースファイルを削除し、プロテクトが施されたフレームベース著作物の目的ファイルおよび修正ソースファイルを保持する、概念１８に記載のシステム。
【００８９】
本明細書で開示されるシステムおよび方法の例および実施形態は、本技術の可能な実施を制限する意図ではないことを理解されたい。さらに、発明の主題は、特定の構造的な特徴および方法について記載されているが、添付の特許請求の範囲に定義された主題は、上述の特定の特徴または実行に制限されないことを理解されたい。むしろ、上述された特定の特徴および実行は、特許請求の範囲を実行するための例示的な形態の開示である。本明細書で記載されたすべての要素およびステップが含まれることが好ましい。任意の要素またはステップが置き換えられ、あるいは省略されてもよいことは、当業者であれば容易に理解できることを理解されたい。
【図１】
2012528401.tif 000004
【図２】
2012528401.tif 000005
【図３】
2012528401.tif 000006
【図４】
2012528401.tif 000007
【図５】
2012528401.tif 000008
【図６】
2012528401.tif 000009
【図７】
2012528401.tif 000010
【国際調査報告】
2012528401.tif 000011
2012528401.tif 000012